(57)【特許請求の範囲】
【請求項１】
電子機器に実装される拡張カードを、前記電子機器の筐体のネジ止め部位に、前記拡張カードのブラケットにより固定する固定機構であって、
前記筐体側に固定された回転軸と、
前記回転軸に一端が取り付けられ、前記回転軸を中心に回動する回転可動部と、
前記回転可動部の他端に外れないように取り付けられたネジとを備え、
前記ブラケットを前記筐体のネジ止め部位に配置した状態で、前記回転可動部を回動させ、前記ネジによりネジ止め固定することを特徴とする固定機構。
【請求項２】
請求項１記載の固定機構において、
前記ネジは、そのヘッド部とネジ部との間に段を有することを特徴とする固定機構。
【請求項３】
請求項２記載の固定機構において、
前記回転可動部は、前記他端に、前記段を有する前記ネジが嵌め込まれる円形の穴を有し、
前記穴の形状は、前記段よりも小さい円形の穴を持ち、その外側に対角状に前記段の径よりも大きい位置までの複数の切り欠きを有することを特徴とする固定機構。
【請求項４】
請求項３記載の固定機構において、
前記回転軸の先端部分に前記回転可動部が外れないように配置され、前記筐体に固定されたカバーを備えたことを特徴とする固定機構。
【請求項５】
請求項１〜４のいずれか１項記載の固定機構において、
前記回転可動部が薄型の弾性を持つナイロン系樹脂であることを特徴とする固定機構。
【発明の詳細な説明】
【技術分野】
【０００１】
本発明は、ＰＣＩカードやその他のカードのＩ／Ｏカード等の拡張カードを電子機器筐体から活線挿抜するための固定機構に関するものある。
【背景技術】
【０００２】
背景として近年、ブレードサーバ等に代表される大型のシステムでは、電源ユニット、論理ユニット等のユニット類、あるいはＩ／Ｏカード等の拡張カードのようなパッケージ類は、装置が稼動中でも取り外し可能であること、つまり、活線挿抜が主流となってきている。
【０００３】
従来、ネジの通電部への落下によるショートを避けるため、樹脂成形部品等によりＰＣＩブラケット上面を押さえつけ固定する機構を採ることで活線挿抜を行っていた。
【０００４】
例えば、特開２００３−３１８５７５号公報（特許文献１）は、ネジを用いず樹脂成形３部品を組み合わせたＰＣＩブラケットの固定機構を提案している。
【０００５】
また、特開２００３−８４８６８号公報（特許文献２）も同様に、ネジを用いず樹脂部品等を用いた機構によるＰＣＩブラケットの固定を提案している。
【特許文献１】特開２００３−３１８５７５号公報
【特許文献２】特開２００３−８４８６８号公報
【発明の開示】
【発明が解決しようとする課題】
【０００６】
しかしながら、従来技術では、ネジ締め時のような十分な押し付け力が得られないため筐体とＰＣＩブラケットの間に隙間ができ易く、電磁シールドに難があるという課題があった。
【０００７】
また、複雑な機構になりがちで作製が難しく、さらに、機構の高さが高くなりがちで高さを低く作るのが難しいため、高さ方向に実装上の制約がある場合は適用が困難であるという課題があった。
【０００８】
そこで、本発明の目的は、ネジを用いることで電磁シールドを強化でき、簡単な機構で作製容易であり、薄型の活線挿抜におけるＩ／Ｏカード等の拡張カードの固定機構を提供することである。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次のとおりである。
【００１１】
すなわち、代表的なものの概要は、筐体側に固定された回転軸と、回転軸に一端が取り付けられ、回転軸を中心に回動する回転可動部と、回転可動部の他端に外れないように取り付けられたネジとを備えたものである。
【発明の効果】
【００１２】
本願において開示される発明のうち、代表的なものによって得られる効果を簡単に説明すれば以下のとおりである。
【００１３】
すなわち、代表的なものによって得られる効果は、ネジによりＰＣＩブラケットを筐体へ固定するため十分な押し付け力が得られＰＣＩブラケットを筐体の間に隙間ができにくく、電波漏れを低減できる。
【００１４】
また、簡単な機構なため作製が比較的容易であり、実装高さの低い機構であるため、高さ的な実装制約がある場合でも適用できる。
【発明を実施するための最良の形態】
【００１５】
以下、本発明の実施の形態を図面に基づいて詳細に説明する。なお、実施の形態を説明するための全図において、同一の部材には原則として同一の符号を付し、その繰り返しの説明は省略する。
【００１６】
図１により、本発明の一実施の形態に係る固定機構の構成について説明する。図１は本発明の一実施の形態に係る固定機構の構成を示す構成図であり、固定機構によりＰＣＩカードを筐体へ固定した状態を示したものである。
【００１７】
図１において、固定機構は、筐体１の固定部位４、筐体１の固定部位４に埋め込まれ固定された回転軸となるピン７、固定機構の回転可動部となり、ピン７を中心に回動するアーム部５、アーム部５に嵌め込まれた段付きネジ６、アーム部５が筐体１から外れないようにするカバーとなるピンカバー８から構成されている。
【００１８】
ＰＣＩカードの固定は、ＰＣＩカード基板２に取り付けられたＰＣＩブラケット３を筐体１の固定部位４へ固定することで行われる。
【００１９】
アーム部５は０．５ｍｍ程度の薄型の樹脂材料からなり、その両端に円形の穴を有する。
【００２０】
その一方の穴には段付きネジ６が嵌め込まれ、もう一方の穴（ピン穴１３）は、筐体１の固定部位４に埋め込まれた回転軸となるピン７に通され、ピン７を軸として自由に回転することができる。
【００２１】
また、アーム部５が筐体１から外れないようにピンカバー８が設けられている。アーム部５は、回転軸（ピン７）に沿って固定部位４からピンカバー８の間を自由に上下に動作できる。
【００２２】
次に、図２により、本発明の一実施の形態に係る固定機構において、複数のＰＣＩカードのうち１枚のカードの固定を解除した状態について説明する。図２は本発明の一実施の形態に係る固定機構において、複数のＰＣＩカードのうち１枚のカードの固定を解除した状態を説明するための説明図である。
【００２３】
図２において、固定の解除は、段付きネジ６をネジ穴９より外し、アーム部５をＰＣＩカードのコネクタ挿抜の邪魔にならないようＰＣＩブラケット３上部のスペースが確保されるところまで回転移動させることで行われる。
【００２４】
図２に示すような状態で、ＰＣＩカードを活線挿抜することにより、段付きネジ６を落下させることなく、安全に作業を行うことが可能である。
【００２５】
次に、図３〜図５により、本発明の一実施の形態に固定機構の使用部品の形状、作製、組立について説明する。図３は本発明の一実施の形態に固定機構の段付きネジとアーム部の構成を示す図であり、図３（ａ）はネジ嵌め込み前、図３（ｂ）はネジ嵌め込み後を示している。図４は本発明の一実施の形態に固定機構の段付きネジとアーム部の位置関係を示す図であり、段付きネジ６をアーム部５へ嵌め込んだ状態をネジ部１２側から見た図である。図５は本発明の一実施の形態に固定機構の組立を説明するための説明図である。
【００２６】
図３において、アーム部５は、ピン穴１３、ピン穴１３の反対側で段付きネジ６を嵌め込むための内円１４と外円１５の形状を有する穴を有している。
【００２７】
また、段付きネジ６は、ネジのヘッド１０と段１１、そして段１１から下にネジ部１２を有している。ヘッド１０と段１１の間はネジ部１２よりやや太い径に作製され、高さ方向隙間は、例えば、１．５ｍｍ程度の隙間にしている。
【００２８】
また、アーム部５の内円１４の直径は段１１の直径より１ｍｍ程度小さくなっており、内円１４の外側には対角状に４ヶ所の円形の切り欠きを持つ。
【００２９】
図３の破線で示した外円１５の直径は、段１１の直径より２ｍｍ程度大きくなっており、対角状の４ヶ所の切り欠きが段付きネジ６を嵌め込む際の逃げの役目を果たしている。
【００３０】
ネジの段１１と内円１４、外円１５との位置寸法関係は、図４に示すとおりである。
【００３１】
アーム部５の段付きネジ６への嵌め込みは、アーム部５の嵌め込み穴を段付きネジ６の段１１へ押し込み乗り越えさせることで比較的容易に嵌め込むことができる。
【００３２】
アーム部５の樹脂は、段をくぐる際、内円１４と外円１５間の部分が弾性で撓み、ヘッド１０と段１１の間に収まると元の形状に戻る。つまり、内円１４と外円１５間の部分の樹脂が主に段付きネジ６をホールドするストッパーの役割を果たしている。アーム部５材質は、弾性に富むナイロン系樹脂にすると作業性がよい。
【００３３】
また、アーム部５の回転をスムーズにし作業性を向上させるため、ピン穴１３径は、ピン７径に対しあまり大きくせず、０．２ｍｍ程度のクリアランスに留めている。
【００３４】
固定機構の組立は、図５に示すように、まず、筐体１の固定部位４へ埋め込まれたピン７へ段付きネジ６を嵌め込んだアーム部５のピン穴１３を通す。
【００３５】
そして、ピンカバー８をピン７の先端部分へ被せ、ネジ穴９の位置でピンカバー固定ネジ１６で筐体１と共締めし、固定機構の組立は完成する。この固定機構は、固定部位４から高さ方向の最上部であるピン７の先端まで９ｍｍでできており、実装上高さ方向に余裕がない場合でも十分に適用可能である。
【００３６】
以上のように、本実施の形態では、ネジによりＰＣＩブラケット３を筐体１へ固定するため十分な押し付け力が得られＰＣＩブラケット３を筐体１の間に隙間ができにくく、電波漏れを低減できる。
【００３７】
また、段付きネジ６がはめ込まれたアーム部５の一端をピン７に通すという簡単な機構なため作製が比較的容易であり、実装高さの低い機構であるため、高さ的な実装制約がある場合でも適用できる。
【００３８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００３９】
例えば、本実施の形態では、ＰＣＩカードを例に説明したが、本発明はＰＣＩカードに限らず、Ｉ／Ｏカードや拡張カードとして採用されるカードであれば、どのようなカードであってもよい。
【産業上の利用可能性】
【００４０】
本発明は、Ｉ／Ｏカードや拡張カードを電子機器筐体から活線挿抜するシステムや機器に広く適用可能である。
【図面の簡単な説明】
【００４１】
【図１】本発明の一実施の形態に係る固定機構の構成を示す構成図である。
【図２】本発明の一実施の形態に係る固定機構において、複数のＰＣＩカードのうち１枚のカードの固定を解除した状態を説明するための説明図である。
【図３】本発明の一実施の形態に固定機構の段付きネジとアーム部の構成を示す図である。
【図４】本発明の一実施の形態に固定機構の段付きネジとアーム部の位置関係を示す図である。
【図５】本発明の一実施の形態に固定機構の組立を説明するための説明図である。
【符号の説明】
【００４２】
１…筐体、２…ＰＣＩカード基板、３…ＰＣＩブラケット、４…固定部位（筐体）、５…アーム部、６…段付きネジ、７…ピン（回転軸）、８…ピンカバー、９…ネジ穴、１０…ヘッド、１１…段、１２…ネジ部、１３…ピン穴、１４…内円、１５…外円、１６…ピンカバー固定ネジ。
【図１】
0004902593.tif 000002
【図２】
0004902593.tif 000003
【図３】
0004902593.tif 000004
【図４】
0004902593.tif 000005
【図５】
0004902593.tif 000006